【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
人とデータ処理装置との間で用いるマン・マシン・インターフェースであって、
人から、データ処理装置が必要とするデータを、収集するためのデータ収集手段と、
データ収集手段がデータを収集できるように、同意しやすい調子で、人にアクションを要求するアクション要求手段と、を備え、
人を含む動植物又はロボットを模した形態であることを特徴とするマン・マシン・インターフェース。
【請求項２】
アクション要求手段は、アクションの要求に応じないことをアクションの１つとして含み、複数のアクションの中から１つを選択するように、人にアクションを要求することを特徴とする請求項１記載のマン・マシン・インターフェース。
【請求項３】
アクション要求手段は、命令調でアクションを要求するのではなく、勧誘調でアクションを要求することを特徴とする請求項１又は請求項２記載のマン・マシン・インターフェース。
【請求項４】
アクション要求手段は、音声でアクションを要求することを特徴とする請求項１乃至請求項３の何れかに記載のマン・マシン・インターフェース。
【請求項５】
アクション要求手段は、データ処理装置からのデータ収集の要求に応じて、人にアクションを要求することを特徴とする請求項１乃至請求項４の何れかに記載のマン・マシン・インターフェース。
【請求項６】
アクション要求手段は、人に、データの収集を直ちに連想させるアクションを要求するのではなく、結果的にデータが収集できるようなアクションを要求することを特徴とする請求項５記載のマン・マシン・インターフェース。
【請求項７】
請求項１乃至請求項６の何れかに記載のマン・マシン・インターフェースとデータ処理装置とで構成される，人の健康診断を行う健康診断システムであって、
データ収集手段は、健康診断に必要なデータを収集するための複数のセンサを備え、
アクション要求手段は、健康診断に必要なデータが収集できるように、複数のセンサの各々に人の必要な部分が接触するようなアクションを要求し、
データ処理装置は、データ収集手段により収集されたデータに基づいて人の健康診断を行うことを特徴とする健康診断システム。
【請求項８】
請求項１乃至請求項６の何れかに記載のマン・マシン・インターフェースとデータ処理装置で構成される，人の精神状態の判定を行う精神状態判定システムであって、
マン・マシン・インターフェースに取り付け可能であって、互いに異なる意匠を有し、かつ、該意匠の特徴をデータ収集手段に伝える伝達手段を有する複数の選択部品を備え、
アクション要求手段は、人に対し、複数の選択部品の中から１つを選択してマン・マシン・インターフェースに取り付けることを要求し、
データ収集手段は、マン・マシン・インターフェースに取り付けられた選択部品の意匠の特徴を、該選択部品が備える伝達手段から取得し、
データ処理装置は、データ収集手段により取得される選択部品の意匠の情報に基づいて人の精神状態を判定することを特徴とする精神状態判定システム。
【請求項９】
人と制御装置との間で用いるマン・マシン・インターフェースであって、
制御装置が人に求めるアクションの内容に応じて、該アクションがリアクションとなるような働きかけを、同意しやすい調子で、行うリアクション要求手段を備え、
人を含む動植物やロボットを模した形態であることを特徴とするマン・マシン・インターフェース。
【請求項１０】
リアクション要求手段は、命令調でなく、勧誘調で、働きかけを行うことを特徴とする請求項９記載のマン・マシン・インターフェース。
【請求項１１】
リアクション要求手段は、音声でアクションを要求することを特徴とする請求項９又は請求項１０記載のマン・マシン・インターフェース。
【請求項１２】
請求項９乃至請求項１１の何れかに記載のマン・マシン・インターフェースと制御装置とで構成される，人の健康維持を行う健康維持システムであって、
制御装置は、リアクション要求手段に対し、外出してもらうための散歩の要求、又は、室温を適温に調節してもらうための室温調節の要求を行い、
リアクション要求手段は、制御装置からの要求が、散歩の要求の場合、使用者に外出するように働きかけを行い、室温調節の要求の場合、使用者が自分にとって快適な室温となるように温度調節を行うように働きかけを行うことを特徴とする健康維持システム。
【手続補正２】
【補正対象書類名】明細書
【補正対象項目名】０００８
【補正方法】変更
【補正の内容】
【０００８】
【課題を解決するための手段】
本発明の請求項１のマン・マシン・インターフェースは、人とデータ処理装置との間で用いるマン・マシン・インターフェースであって、人から、データ処理装置が必要とするデータを、収集するためのデータ収集手段と、データ収集手段がデータを収集できるように、同意しやすい調子で、人にアクションを要求するアクション要求手段と、を備え、人を含む動植物又はロボットを模した形態であることを特徴とする。
【手続補正３】
【補正対象書類名】明細書
【補正対象項目名】０００９
【補正方法】変更
【補正の内容】
【０００９】
本発明の請求項２のマン・マシン・インターフェースは、請求項１のマン・マシン・インターフェースであって、アクション要求手段は、アクションの要求に応じないことをアクションの１つとして含み、複数のアクションの中から１つを選択するように、人にアクションを要求することを特徴とする。
【手続補正４】
【補正対象書類名】明細書
【補正対象項目名】００１０
【補正方法】変更
【補正の内容】
【００１０】
本発明の請求項３のマン・マシン・インターフェースは、請求項１又は請求項２のマン・マシン・インターフェースであって、アクション要求手段は、命令調でアクションを要求するのではなく、勧誘調でアクションを要求することを特徴とする。
【手続補正５】
【補正対象書類名】明細書
【補正対象項目名】００１１
【補正方法】変更
【補正の内容】
【００１１】
本発明の請求項４のマン・マシン・インターフェースは、請求項１乃至請求項３の何れかのマン・マシン・インターフェースであって、アクション要求手段は、音声でアクションを要求することを特徴とする。
【手続補正６】
【補正対象書類名】明細書
【補正対象項目名】００１２
【補正方法】変更
【補正の内容】
【００１２】
本発明の請求項５のマン・マシン・インターフェースは、請求項１乃至請求項４の何れかのマン・マシン・インターフェースであって、アクション要求手段は、データ処理装置からのデータ収集の要求に応じて、人にアクションを要求することを特徴とする。
【手続補正７】
【補正対象書類名】明細書
【補正対象項目名】００１３
【補正方法】変更
【補正の内容】
【００１３】
本発明の請求項６のマン・マシン・インターフェースは、請求項５のマン・マシン・インターフェースであって、アクション要求手段は、人に、データの収集を直ちに連想させるアクションを要求するのではなく、結果的にデータが収集できるようなアクションを要求することを特徴とする。
【手続補正８】
【補正対象書類名】明細書
【補正対象項目名】００１４
【補正方法】変更
【補正の内容】
【００１４】
本発明の請求項７の健康診断システムは、請求項１乃至請求項６の何れかのマン・マシン・インターフェースとデータ処理装置とで構成される，人の健康診断を行う健康診断システムであって、データ収集手段は、健康診断に必要なデータを収集するための複数のセンサを備え、アクション要求手段は、健康診断に必要なデータが収集できるように、複数のセンサの各々に人の必要な部分が接触するようなアクションを要求し、データ処理装置は、データ収集手段により収集されたデータに基づいて人の健康診断を行うことを特徴とする。
また、本発明の請求項８の精神状態判定システムは、請求項１乃至請求項６の何れかのマン・マシン・インターフェースとデータ処理装置で構成される，人の精神状態の判定を行う精神状態判定システムであって、マン・マシン・インターフェースに取り付け可能であって、互いに異なる意匠を有し、かつ、該意匠の特徴をデータ収集手段に伝える伝達手段を有する複数の選択部品を備え、アクション要求手段は、人に対し、複数の選択部品の中から１つを選択してマン・マシン・インターフェースに取り付けることを要求し、データ収集手段は、マン・マシン・インターフェースに取り付けられた選択部品の意匠の特徴を、該選択部品が備える伝達手段から取得し、データ処理装置は、データ収集手段により取得される選択部品の意匠の情報に基づいて人の精神状態を判定することを特徴とする。
【手続補正９】
【補正対象書類名】明細書
【補正対象項目名】００１５
【補正方法】変更
【補正の内容】
【００１５】
本発明の請求項９のマン・マシン・インターフェースは、人と制御装置との間で用いるマン・マシン・インターフェースであって、制御装置が人に求めるアクションの内容に応じて、該アクションがリアクションとなるような働きかけを、同意しやすい調子で、行うリアクション要求手段を備え、人を含む動植物やロボットを模した形態であることを特徴とする。
また、本発明の請求項１０のマン・マシン・インターフェースは、請求項９のマン・マシン・インターフェースであって、リアクション要求手段は、命令調でなく、勧誘調で、働きかけを行うことを特徴とする。
また、本発明の請求項１１のマン・マシン・インターフェースは、請求項９又は請求項１０のマン・マシン・インターフェースであって、リアクション要求手段は、音声でアクションを要求することを特徴とする。
【手続補正１０】
【補正対象書類名】明細書
【補正対象項目名】００１６
【補正方法】変更
【補正の内容】
【００１６】
また、本発明の請求項１２の健康位置システムは、請求項９乃至請求項１１の何れかのマン・マシン・インターフェースと制御装置とで構成される，人の健康維持を行う健康維持システムであって、制御装置は、リアクション要求手段に対し、外出してもらうための散歩の要求、又は、室温を適温に調節してもらうための室温調節の要求を行い、リアクション要求手段は、制御装置からの要求が、散歩の要求の場合、使用者に外出するように働きかけを行い、室温調節の要求の場合、使用者が自分にとって快適な室温となるように温度調節を行うように働きかけを行うことを特徴とする。
【手続補正１１】
【補正対象書類名】明細書
【補正対象項目名】００６２
【補正方法】変更
【補正の内容】
【００６２】
【発明の効果】
本発明の請求項１のマン・マシン・インターフェースは、同意しやすい調子で、人に対してアクションを要求することにより、データ処理装置の必要とするデータの収集処理を、データを提供する者にストレスを与えることなく、実行することができる。
【手続補正１２】
【補正対象書類名】明細書
【補正対象項目名】００６３
【補正方法】変更
【補正の内容】
【００６３】
本発明の請求項２のマン・マシン・インターフェースのアクション要求手段は、アクションしない場合もアクションの１つとして含む、複数のアクションの中から１つを選択して実行するようにアクションを要求するため、他に選択の余地の無い、命令によるアクション要求の場合と異なり、データ処理装置の必要とするデータの収集処理を、データを提供する者にストレスを与えることなく、実行することができる。
【手続補正１３】
【補正対象書類名】明細書
【補正対象項目名】００６４
【補正方法】変更
【補正の内容】
【００６４】
本発明の請求項３のマン・マシン・インターフェースは、命令調でなく、勧誘調でアクションを要求するため、データ処理装置の必要とするデータの収集処理を、データを提供する者にストレスを与えることなく、実行することができる。
【手続補正１４】
【補正対象書類名】明細書
【補正対象項目名】００６５
【補正方法】変更
【補正の内容】
【００６５】
本発明の請求項４のマン・マシン・インターフェースのアクション要求手段は、音声でアクションを要求するため、データ処理装置の必要とするデータの収集処理を、データを提供する者にストレスを与えることなく、より容易に実行することができる。
【手続補正１５】
【補正対象書類名】明細書
【補正対象項目名】００６６
【補正方法】変更
【補正の内容】
【００６６】
本発明の請求項５のマン・マシン・インターフェースのアクション要求手段は、データ処理装置からのデータ収集の要求に応じて、人にアクションを要求することで、より適切なタイミングで、データ処理装置の必要とするデータの収集処理を、データを提供する者にストレスを与えることなく、容易に実行することができる。
【手続補正１６】
【補正対象書類名】明細書
【補正対象項目名】００６７
【補正方法】変更
【補正の内容】
【００６７】
本発明の請求項６のマン・マシン・インターフェースのアクション要求手段は、人に、データの収集を直ちに連想させるアクションを要求するのではなく、結果的にデータが収集できるようなアクションを要求することで、データ処理装置の必要とするデータの収集処理を、データを提供する者にストレスを与えることなく、より容易に実行することができる。
【手続補正１７】
【補正対象書類名】明細書
【補正対象項目名】００６８
【補正方法】変更
【補正の内容】
【００６８】
本発明の請求項７の健康診断システムは、患者から、必要なデータを、無理なく収集することができる。
また、本発明の請求項８の精神状態判断システムは、患者の精神状態を、患者にストレスを与えることなく、無理なく判断することができる。
【手続補正１８】
【補正対象書類名】明細書
【補正対象項目名】００６９
【補正方法】変更
【補正の内容】
【００６９】
本発明の請求項９のマン・マシン・インターフェースのリアクション要求手段は、制御装置が人に求めるアクションの内容に応じて、該アクションがリアクションとなるような働きかけを、同意しやすい調子で、行うことにより、制御装置が人に求めるアクションを、リアクションを行う人がストレスを感じることなく、より容易に実行することができる。
また、本発明の請求項１０のマン・マシン・インターフェースのリアクション要求手段は、命令調でなく、勧誘調で、人に働きかけることにより、制御装置が人に求めるアクションを、リアクションとして行う人が、ストレスを感じることなく、より容易に実行することができる。
また、本発明の請求項１１のマン・マシン・インターフェースのリアクション要求手段は、音声で働きかけを行うため、制御装置が人に求めるアクションを、リアクションとして行う人が、ストレスを感じることなく、より容易に実行することができる。
【手続補正１９】
【補正対象書類名】明細書
【補正対象項目名】００７０
【補正方法】変更
【補正の内容】
【００７０】
本発明の請求項１２の健康維持システムは、患者に強制することなく、無理なく必要な健康維持動作を要求することができる。